(57)【要約】【課題】  ダム等の大容量貯水池の水底に堆積する多量の土砂を、比較的少ないエネルギとコストで、しかも自然環境への影響を回避しつつ能率よく海等に排出可能とする。【解決手段】  輸送路Ｌが、大容量貯水池Ｄの浚渫土砂をサイフォン作用で水と共に吸い出すサイフォン管Ｓと、このサイフォン管Ｓで吸い出された浚渫土砂及び水を含む流動体を海又はその近くの河川まで重力を利用して自然流下させる自然流下経路Ｐとを備え、自然流下経路Ｐは、複数条のパイプラインＰｐと、その相隣なるパイプラインＰｐ間に介在する中継枡Ｐｍと、最下流のパイプラインの下流端に連ねて設けられ、該パイプラインを流下してきた流動体より水を分離して海又はその近くの河川に放流可能であると共に、残余の浚渫土砂を一時的に貯留して回収可能とした水／土砂分離処理手段ＳＥとを有し、輸送路Ｌには、そこを流れる前記流動体の流動エネルギを電気エネルギに変換する動力変換手段Ｇが設けられる。【選択図】  図１
2007002437.tif 000002
【特許請求の範囲】
【請求項１】
海（Ｏ）から離れた高所に在って河川（Ｒ）の水が流れ込む大容量貯水池（Ｄ）の浚渫土砂（１）を該貯水池（Ｄ）から海（Ｏ）又はその近くの河川（Ｒ）まで輸送する輸送路（Ｌ）を備え、
この輸送路（Ｌ）が、大容量貯水池（Ｄ）の浚渫土砂（１）をサイフォン作用で水と共に吸い出すサイフォン管（Ｓ）と、
このサイフォン管（Ｓ）の下流端に連なり、同管（Ｓ）で吸い出された浚渫土砂（１）及び水を含む流動体を海（Ｏ）又はその近くの河川（Ｒ）まで重力を利用して自然流下させる自然流下経路（Ｐ）とを少なくとも含む浚渫土砂の輸送システムであって、
前記自然流下経路（Ｐ）は、相互に縦列配置される複数条のパイプライン（Ｐｐ）と、その相隣なるパイプライン（Ｐｐ）間に介在していて、上流側のパイプライン（Ｐｐ）から流下してきた流動体を一時的に貯留し下流側のパイプライン（Ｐｐ）に放流可能な中継枡（Ｐｍ）と、最下流のパイプライン（Ｐｐ）の下流端に連ねて設けられ、該パイプライン（Ｐｐ）を流下してきた流動体より水を分離して海（Ｏ）又はその近くの河川（Ｒ）に放流可能であると共に、残余の浚渫土砂（１）を一時的に貯留してその少なくとも一部を回収可能とした水／土砂分離処理手段（ＳＥ）とを有しており、
前記輸送路（Ｌ）には、そこを流れる前記流動体の流動エネルギを電気エネルギに変換し得る動力変換手段（Ｇ）が設けられることを特徴とする、浚渫土砂の輸送システム。
【請求項２】
前記動力変換手段（Ｇ）には、それが変換した電気エネルギを少なくとも用いて駆動され前記輸送システム中で使用される電動機器（Ｒｙ，Ｍ，Ｒｘ）が接続されることを特徴とする、請求項１に記載の浚渫土砂の輸送システム。
【請求項３】
前記水／土砂分離処理手段（ＳＥ）と前記大容量貯水池（Ｄ）又は所定の戻し水用貯水池との間には、その間を接続する還流路（Ｋ）が前記自然流下経路（Ｐ）から独立して設けられ、
この還流路（Ｋ）には、前記水／土砂分離処理手段（ＳＥ）で流動体より分離された水を前記大容量貯水池（Ｄ）又は戻し水用貯水池まで汲み上げるべく、前記動力変換手段（Ｇ）で変換された電気エネルギで駆動される少なくとも１つの汲み上げ用電動ポンプ（Ｋｘ）が設けられることを特徴とする請求項１又は２に記載の浚渫土砂の輸送システム。
【請求項４】
前記還流路（Ｋ）は、互いに縦列配置されて前記水／土砂分離処理手段（ＳＥ）と前記大容量貯水池（Ｄ）又は戻し水用貯水池との間を接続する複数の戻り配管（Ｋｐ）と、その相隣なる戻り配管（Ｋｐ）間に介在していて、下流側の戻り配管（Ｋｐ）から上昇流動してきた戻し水を一時的に貯留可能な複数の戻り用中継槽（Ｋｍ）とを備え、
前記複数の戻り配管（Ｋｐ）には、個々の戻り配管（Ｋｐ）の上流端から下流端まで戻り水を上昇流動させるべく、その各々の戻り配管（Ｋｐ）毎に前記汲み上げ用電動ポンプ（Ｋｘ）が設けられることを特徴とする、請求項３に記載の浚渫土砂の輸送システム。
【請求項５】
前記サイフォン管（Ｓ）及び自然流下経路（Ｐ）の少なくとも一方には、その流路を開度調節可能に開閉する少なくとも１つの開閉弁（Ｖ１〜Ｖｎ）が設けられることを特徴とする、請求項１〜４の何れかに記載の浚渫土砂の輸送システム。
【請求項６】
前記水／土砂分離処理手段（ＳＥ）は、前記最下流のパイプライン（Ｐｐ）を経て流下してきた流動体を受容して該流動体中の浚渫土砂（１）を沈殿させる複数の沈殿槽（Ａ１〜Ａ３）が、その各々の沈殿槽（Ａ１〜Ａ３）内の流動体中の上澄み水を順次下流の沈殿槽にオーバフローさせ得るように配列して構成され、
最下流の沈殿槽（Ａ３）からオーバフローした上澄み水を海（Ｏ）又はその近くの河川（Ｒ）に放流するようにしたことを特徴とする、請求項１〜５の何れかに記載の浚渫土砂の輸送システム。
【請求項７】
各中継枡（Ｐｍ）は、上流側のパイプライン（Ｐｐ）が接続される入口部（３ｉ）と、下流側のパイプライン（Ｐｐ）が接続される出口部（３ｅ）とを備えており、それら入口部（３ｉ）及び出口部（３ｅ）にそれぞれ開閉弁（Ｖｉ，Ｖｅ）が設けられることを特徴とする、請求項１〜６の何れかに記載の浚渫土砂の輸送システム。
【請求項８】
少なくとも１つの中継枡（Ｐｍ）を迂回して、その入口部（３ｉ）よりも上流側のパイプライン（Ｐｐ）とその出口部（３ｅ）よりも下流側のパイプライン（Ｐｐ）との間を接続するバイパス路（Ｐｂ）を備え、そのバイパス路（Ｐｂ）には、これを随時に遮断し得る開閉弁（Ｖｂ）が設けられることを特徴とする、請求項１〜７の何れかに記載の浚渫土砂の輸送システム。
【請求項９】
前記サイフォン管（Ｓ）内、少なくとも１つの中継枡（Ｐｍ）内または少なくとも１部の前記パイプライン（Ｐｐ）内に無数の微細気泡を供給するためのマイクロバブル供給手段（Ｍ）を備えることをことを特徴とする、請求項１〜８の何れかに記載の浚渫土砂の輸送システム。
【発明の詳細な説明】
【技術分野】
【０００１】
本発明は、海から離れた高所に在って河川の水が流れ込むダム等の大容量貯水池の浚渫土砂を、該貯水池から海又はその近くの河川まで輸送するための浚渫土砂の輸送システムに関する。
【０００２】
尚、本明細書において「浚渫土砂」とは、ダム等の大容量貯水池の底部の堆積土砂を吸引又は浚渫したときに生じる土砂、泥土、ヘドロ等、又はそれらの混合物を含む。また、本発明において「大容量貯水池」とは、ダムの他、河川上流側からの土砂の堆積による有効深度の低下が問題となる種々の大容量貯水池（例えば湖、遊水池等）が含まれ、人工物及び自然物の如何を問わない。
【背景技術】
【０００３】
水力発電や灌漑等に利用される既存のダムが抱える今日的な重要課題として、その上流側から流れてきた土砂が長年に亘りダムの水底に多量に堆積し、その有効深度を浅くしてしまうことによりダムの発電能力が低下したり或いは貯水量が減少する、ということが挙げられている。
【０００４】
そこで、このような問題に対処するために、例えば、ダム水底の堆積土砂を浚渫してダム外に運び出すことが既に試みられており、またその浚渫に当たり、ダムの水底の堆積土砂をサイフォン管で吸い上げ、ダム周辺の回収場所まで輸送するようにした技術が既に提案されている（下記の特許文献１を参照）
【特許文献１】特開平１１−４６５１５号公報
【発明の開示】
【発明が解決しようとする課題】
【０００５】
しかしながら、山中に設けられ道路事情が余り良くないダムの近辺から、ダンプ車両等で多量の浚渫土砂を外部に搬出する作業には多大の手間とエネルギ（従ってコスト）を要するものであり、特にこの問題は、ダムの堆積土砂を、これが本来（ダムが無ければ）流れるべき海までダンプ輸送しようとする場合には顕著となり、更に交通渋滞等の原因ともなる。
【０００６】
なお、このような問題を回避しつつダムの浚渫土砂を海まで運ぶために、例えばその浚渫土砂をダムの直下流の河川に直接放出することも考えられるが、その場合には、下流河川の水質汚濁を生じ、河川の生態系にも影響を及ぼす虞れがある。
【０００７】
そこでダムと海又はその近くの河川との間をパイプラインで接続して、ダムの水底に堆積する多量の土砂を海又はその近くの河川まで重力を利用して（従って少ないエネルギとコストで）パイプライン輸送することが考えられるが、その輸送の際にパイプライン内を流れる流動体のエネルギを一部でも回収することができれば、システム全体のエネルギ効率を高める上で更に有利となり、特にその回収エネルギを、輸送システムにおいて使用される種々の補助的な電動機器の動力として利用可能となれば、省エネ効果が大となる。また、このようなパイプラインを用いた重力輸送システムでは、多量の土砂をパイプライン内でスムーズに流動させるために、ダムから多量の水を土砂と一緒に海又はその近くまで流す必要があるが、土砂を海又はその近くまで輸送した後において、この多量の水をそのまま無駄に海や川に捨てたのでは、水資源の節約を図る上で好ましいものではない。
【０００８】
本発明は、上記に鑑み提案されたものであって、ダム等の大容量貯水池の水底に堆積する多量の土砂を少ないエネルギとコストで、しかも自然環境に極力影響が出ないよう配慮しながら、能率よく海又はその近くの河川までパイプライン輸送できるようにし、更にそのパイプライン輸送中の流動体のエネルギを一部回収可能として省エネを図り、更にまたパイプラインを流下する流動体中の水の一部を、エネルギを無駄に消費することなく大容量貯水池や他の貯水池に戻せるようにした、新規な浚渫土砂の輸送システムを提供することを目的とする。
【課題を解決するための手段】
【０００９】
上記目的を達成するために、請求項１の発明は、海から離れた高所に在って河川の水が流れ込む大容量貯水池の浚渫土砂を該貯水池から海又はその近くの河川まで輸送する輸送路を備え、この輸送路が、大容量貯水池の浚渫土砂をサイフォン作用で水と共に吸い出すサイフォン管と、このサイフォン管の下流端に連なり、同管で吸い出された浚渫土砂及び水を含む流動体を海又はその近くの河川まで重力を利用して自然流下させる自然流下経路とを少なくとも含む浚渫土砂の輸送システムであって、前記自然流下経路は、相互に縦列配置される複数条のパイプラインと、その相隣なるパイプライン間に介在していて、上流側のパイプラインから流下してきた流動体を一時的に貯留し下流側のパイプラインに放流可能な中継枡と、最下流のパイプラインの下流端に連ねて設けられ、該パイプラインを流下してきた流動体より水を分離して海又はその近くの河川に放流可能であると共に、残余の浚渫土砂を一時的に貯留してその少なくとも一部を回収可能とした水／土砂分離処理手段とを有しており、前記輸送路には、そこを流れる前記流動体の流動エネルギを電気エネルギに変換し得る動力変換手段が設けられることを特徴とする。
【００１０】
また請求項２の発明は、請求項１の上記構成に加えて、前記動力変換手段には、それが変換した電気エネルギを少なくとも用いて駆動され前記輸送システム中で使用される電動機器が接続されることを特徴とする。
【００１１】
また請求項３の発明は、請求項１又は２の上記構成に加えて、前記水／土砂分離処理手段と前記大容量貯水池又は所定の戻し水用貯水池との間には、その間を接続する還流路が前記自然流下経路から独立して設けられ、この還流路には、前記水／土砂分離処理手段で流動体より分離された水を前記大容量貯水池又は戻し水用貯水池まで汲み上げるべく、前記動力変換手段で変換された電気エネルギで駆動される少なくとも１つの汲み上げ用電動ポンプが設けられることを特徴としており、また請求項４の発明は、請求項３の上記構成に加えて、前記還流路が、互いに縦列配置されて前記水／土砂分離処理手段と前記大容量貯水池又は戻し水用貯水池との間を接続する複数の戻り配管と、その相隣なる戻り配管間に介在していて、下流側の戻り配管から上昇流動してきた戻し水を一時的に貯留可能な複数の戻り用中継槽とを備え、前記複数の戻り配管には、個々の戻り配管の上流端から下流端まで戻り水を上昇流動させるべく、その各々の戻り配管毎に前記汲み上げ用電動ポンプが設けられることを特徴とする。
【００１２】
また請求項５の発明は、請求項１〜４の何れかの構成に加えて、前記サイフォン管及び自然流下経路の少なくとも一方には、その流路を開度調節可能に開閉する少なくとも１つの開閉弁が設けられることを特徴とする。
【００１３】
また請求項６の発明は、請求項１〜５の何れかの構成に加えて、前記水／土砂分離処理手段が、前記最下流のパイプラインを経て流下してきた流動体を受容して該流動体中の浚渫土砂を沈殿させる複数の沈殿槽が、その各々の沈殿槽内の流動体中の上澄み水を順次下流の沈殿槽にオーバフローさせ得るように配列して構成され、その最下流の沈殿槽からオーバフローした上澄み水を海又はその近くの河川に放流するようにしたことを特徴としている。
【００１４】
さらに請求項７の発明は、請求項１〜６の何れかの構成に加えて、各中継枡が、上流側のパイプラインが接続される入口部と、下流側のパイプラインが接続される出口部とを備えており、それら入口部及び出口部にそれぞれ開閉弁が設けられることを特徴とする。
【００１５】
さらに請求項８の発明は、請求項１〜７の何れかの構成に加えて、少なくとも１つの中継枡を迂回して、その入口部よりも上流側のパイプラインとその出口部よりも下流側のパイプラインとの間を接続するバイパス路を備え、そのバイパス路には、これを随時に遮断し得る開閉弁が設けられることを特徴とする。
【００１６】
さらに請求項９の発明は、請求項１〜８の何れかの構成に加えて、前記サイフォン管内、少なくとも１つの中継枡内または少なくとも１部の前記パイプライン内に無数の微細気泡を供給するためのマイクロバブル供給手段を備えることをことを特徴とする。
【発明の効果】
【００１７】
以上のように本発明によれば、海から離れた高所に在る大容量貯水池の浚渫土砂を、サイフォン管のサイフォン作用で水と共に吸い出し、次いで自然流下通路を経由して海又はその近くの河川まで自然流下させるようにしたので、重力を利用して大容量貯水池の浚渫土砂を海又はその近くの河川まで無理なく且つ緩やかに輸送することができ、その輸送のためのエネルギ節減とコスト低減を図ることができ、また途中の河川水域を浚渫土砂で汚濁したり生態系に影響を与える心配がなく、更にダンプ車両による輸送の場合のように交通渋滞等の不具合を招く虞れもない。また上記自然流下経路が、相互に縦列配置される複数条のパイプラインと、その相隣なるパイプライン間に介在していて、上流側のパイプラインから流下してきた流動体を一時的に貯留し下流側に放流可能な中継枡とを有するので、個々のパイプラインの内圧を軽減できてその耐久性を高めることができ、またパイプラインに対するメンテナンスも、中継枡で区切られたパイプライン単位で行えるため、そのメンテナンス作業が比較的容易となる。また最下流のパイプラインの下流端に連ねて配設される水／土砂分離処理手段によって、自然流下経路を経て流下してきた流動体より比較的清浄な水だけを海又はその近くの河川に放流可能であり、しかもその水／土砂分離処理手段に残余の浚渫土砂を一時的に貯留してその少なくとも一部を回収できることから、浚渫土砂の全部が海又はその近くの河川にそのまま放出される場合と比べて、海又はその近くの河川の水質汚濁や生態系への影響を極力抑えることができる。その上、輸送路には、そこを流れる流動体の流動エネルギを電気エネルギに変換し得る動力変換手段が設けられるので、重力を利用して大容量貯水池の浚渫土砂を海又はその近くの河川まで自然流下させる過程で、その流動エネルギを電気エネルギに変換して、これを効率よく利用することができる。
【００１８】
また特に請求項２の発明によれば、前記動力変換手段が変換した電気エネルギが、輸送システム中で使用される電動機器（例えばサイフォン管内にサイフォン作用開始のための呼び水を供給する電動ポンプ、サイフォン管のサイフォン作用を助勢する電動ポンプ、パイプライン等の内部に無数の微細気泡を供給するための電動式のマイクロバブル供給手段、他の大容量貯水池からその近くの中継枡まで浚渫土砂を吸引圧送し得る電動ポンプ等）の動力として有効利用できて、システム全体のエネルギ節減が図られる。しかも動力変換手段と上記電動機器とを比較的近くに配置可能であることから、その間の電気配線を簡素化してコスト節減が図られる。
【００１９】
また特に請求項３の発明によれば、水／土砂分離処理手段と大容量貯水池又は所定の戻し水用貯水池との間には、その間を接続する還流路が自然流下経路から独立して設けられ、この還流路には、水／土砂分離処理手段で流動体より分離された水を大容量貯水池又は戻し水用貯水池まで戻し水として汲み上げるべく、前記動力変換手段で変換された電気エネルギで駆動される少なくとも１つの汲み上げ用電動ポンプが設けられるので、水／土砂分離処理手段で流動体より分離された水の一部を、ただ海や河川に捨てるのではなく、大容量貯水池又は戻し水用貯水池までエネルギ節減を図りつつ強制的に戻すことができ、従って、この戻し水を灌漑等に有効利用できて水資源の節約に寄与することができる。
【００２０】
また特に請求項４の発明によれば、前記還流路が、互いに縦列配置されて水／土砂分離処理手段と大容量貯水池又は戻し水用貯水池との間を接続する複数の戻り配管と、その相隣なる戻り配管間に介在していて、下流側の戻り配管から上昇流動してきた戻し水を一時的に貯留可能な複数の戻り用中継槽とを備え、複数の戻り配管には、個々の戻り配管の上流端から下流端まで戻り水を上昇流動させるべく、その各々の戻り配管毎に前記汲み上げ用電動ポンプが設けられるので、水／土砂分離処理手段と、これから水を戻すべき大容量貯水池又は戻し水用貯水池との間の高低差が大きくても、比較的小容量の汲み上げ用電動ポンプで無理なく戻し水を圧送可能であり、電動ポンプのコスト節減と耐久性向上が図られる。
【００２１】
また特に請求項５の発明によれば、前記輸送路を構成するサイフォン管及び自然流下経路の少なくとも一方には、その流路を開度調節可能に開閉する少なくとも１つの開閉弁が設けられるので、該開閉弁の開度調節により、一連の輸送システムの起動や停止、運転に当たり、ウォータハンマー現象、流速のオーバースピード、キャビテーション等の不都合を回避しながらシステムの適切な制御が可能となり、システム各部の耐久性向上が図られる。
【００２２】
また特に請求項６の発明によれば、前記水／土砂分離処理手段は、最下流のパイプラインを経て流下してきた流動体を受容して該流動体中の浚渫土砂を沈殿させる複数の沈殿槽が、その各々の沈殿槽内の流動体中の上澄み水を順次下流の沈殿槽にオーバフローさせ得るように配列して構成され、その最下流の沈殿槽からオーバフローした上澄み水を海又はその近くの河川に放流するようにしたので、その放流水の清浄度を高めることができて、海又はその近くの河川の水質汚濁や生態系への影響が一層効果的に抑えられる。
【００２３】
また特に請求項７の発明によれば、各中継枡が、上流側のパイプラインが接続される入口部と、下流側のパイプラインが接続される出口部とを備えており、それら入口部及び出口部にそれぞれ開閉弁が設けられるので、それら開閉弁の適宜開閉により、前述のパイプラインのメンテナンス作業を一層能率よく的確に行うことが可能となり、また個々のパイプラインを流れる流動体の流速調整や緊急時等の流動停止も比較的容易となる。
【００２４】
さらに請求項８の発明によれば、少なくとも１つの中継枡を迂回して、その入口部よりも上流側のパイプラインとその出口部よりも下流側のパイプラインとの間を接続するバイパス路を備え、そのバイパス路には、これを随時に遮断し得る開閉弁が設けられるので、一部の中継枡が土砂で埋まる等して使用不能となった場合等には、その中継枡の入口及び出口を塞ぐと共に、対応するバイパス路の開閉弁を開くことにより、上流からの流動体を該使用不能の中継枡をバイパスして下流側に流すことができ、従って、システムの運転を引き続き支障なく行うことができる。
【００２５】
また特に請求項９の発明によれば、サイフォン管内、少なくとも１つの中継枡内または少なくとも１部のパイプライン内に無数の微細気泡を供給するための電動式のマイクロバブル供給手段を備えるので、その無数の微細気泡の流動体中への混入分散効果により、流動体と、サイフォン管又はパイプライン内面との間の摩擦抵抗を効果的に低減できる上、流動体の密度を軽減できるようになって、流動体をスムーズに流動させることが可能となる。また上記流動体中の好気性微生物と微細気泡の酸素とを十分に接触させることができて、その微生物を活性化させることができるため、海又は河口近くに達した流動体の臭気・濁度が向上し、溶存酸素量も増えて、環境対策上、有利である。
【発明を実施するための最良の形態】
【００２６】
以下、本発明の実施の形態を、添付図面に例示した本発明の実施例に基づいて以下に具体的に説明する。
【００２７】
添付図面において、図１〜図８は、本発明の第１実施例を示すものであって、図１は、浚渫土砂輸送システムの概要を示す全体概略縦断面図、図２は図１の２矢視部拡大図、図３は図１の３矢視部拡大図、図４は図３の４−４線拡大断面図、図５は、水／土砂分離処理手段の要部縦断面図（図１の５矢視部拡大図）、図６は図５の６矢視平面図である。また図７は、本発明の第２実施例を示す要部拡大縦断面図である。
【００２８】
先ず、第１実施例について説明する。図１において、浚渫土砂輸送システムは、海Ｏから離れた高所に在って河川Ｒの水が流れ込む大容量貯水池としてのダムＤで行われた浚渫作業により生じた浚渫土砂１を、該ダムＤから海Ｏ又はその近くの河川Ｒまで重力を利用して輸送するために用いられる。
【００２９】
この輸送システムは、ダムＤの浚渫土砂１をサイフォン作用で水と共に吸い出すサイフォン管Ｓと、このサイフォン管Ｓの下流端に連なり、同管Ｓで吸い出された浚渫土砂１及び水を含む流動体を海Ｏ又はその近くの河川Ｒまで重力を利用して自然流下させる自然流下経路Ｐと、この自然流下経路Ｐを経て流下してきた前記流動体より水を分離して海Ｏ又はその近くの河川Ｒに放流可能であると共に残余の浚渫土砂１を一時的に貯留してその少なくとも一部を回収可能な水／土砂分離処理手段ＳＥとを備える。
【００３０】
前記サイフォン管Ｓは、図示例ではダムＤの貯留水面上を任意に移動可能な浚渫作業船Ｂに設けられて吸込口Ｕｅが水中で昇降可能な可動吸込管Ｕと、この可動吸込管Ｕの下流端に一端が連なり且つその他端がダムＤの直下流側で且つダムＤよりも低位置に設けた中継枡Ｐｍ０までダムＤの堰を越えて下方に長く延びる搬送管Ａとを備えており、前記可動吸込管Ｕ及び搬送管Ａが互いに協働してサイフォン管Ｓを構成する。
【００３１】
而して可動吸込管Ｕの吸込口ＵｅをダムＤの水底の堆積土砂１又はその近傍に臨ませ、浚渫作業船Ｂに設置されてサイフォン管Ｓに接続した給水ポンプＲｙに呼び水機能を発揮させてサイフォン管Ｓのサイフォン作用を開始させる。これにより、サイフォン管Ｓは、その吸込口Ｕｅよりダム水底の堆積土砂１を水と共に吸い上げ、その管内を通して中継枡Ｐｍ０まで徐々に且つ連続的に流動させることができる。
【００３２】
またサイフォン管Ｓの途中には、その管を随時に遮断して前記サイフォン作用を一時的に中断し得る開閉弁Ｖ１と、そのサイフォン管Ｓ内に空気を混入させて該管Ｓのサイフォン作用による吸込力の調整を行なうための混気手段（図示せず）とが設けられる。また浚渫作業船Ｂには、可動吸込管Ｕの吸込口Ｕｅを任意の高さに昇降駆動し得る駆動手段２が設けられており、また該作業船Ｂを自力走行させるための推進手段（図示せず）も設けられる。
【００３３】
前記中継枡Ｐｍ０は、ダムＤの直下流側に在ってサイフォン管Ｓからサイフォン作用で自然流下してきた浚渫土砂１及び水を含む流動体を一時的に貯留し下流側に徐々に放流可能としたものであって、その構造は、後述する自然流下経路Ｐにおいて設けられる中継枡Ｐｍと基本的に同じである。即ち、容量の大きい水槽状に形成された枡ユニットケース３が地面に定置されており、その枡ユニットケース３の内部は、隔壁３ｍにより２室に区画され、その一方の室が中継枡Ｐｍ０となり、また他方の室が後述する戻り水用中継槽Ｋｍとなる。
【００３４】
前記中継枡Ｐｍ０の、比較的高位置に開口した入口部３ｉには、サイフォン管Ｓ（図示例では搬送管Ａ）の下流端が接続され、またその中継枡Ｐｍ０の比較的低位置に開口した出口部３ｏには、自然流下経路Ｐにおいて最上流に位置するパイプラインＰｐの上流端が接続される。またその中継枡Ｐｍ０の入口部３ｉ及び出口部３ｏには、その各々を個別に開閉可能とすべく開閉弁Ｖｉ，Ｖｅがそれぞれ設けられる。
【００３５】
前記自然流下経路Ｐは、相互に縦列配置される複数条のパイプラインＰｐ…と、その相隣なるパイプラインＰｐ，Ｐｐ間に介在していて、上流側のパイプラインＰｐから流下してきた浚渫土砂１及び水を含む流動体を一時的に貯留し下流側のパイプラインＰｐに徐々に放流可能な中継枡Ｐｍとを備える。その中継枡Ｐｍは、前記自然流下経路Ｐの全長と、その自然流下経路Ｐの上，下流端間の高低差等を踏まえて、各パイプラインＰｐにおける流動体のスムーズな自然流下を確保すべく適当な距離をおいて且つ適当な高低差を以って複数設置されるが、下流側の中継枡Ｐｍになるほど、低位置に置かれることは勿論である。また各パイプラインＰｐは、基本的には下り傾斜又は水平に配置されるが、途中の地形等によっては一部が上り傾斜であってもよい。
【００３６】
相隣なる２つの中継枡Ｐｍ間を接続する１条のパイプラインＰｐは、相互に縦列配置される多数条のパイプライン要素４…を直列に接続して構成されており、その少なくとも一部のパイプライン要素４は、パイプラインＰｐの長さ方向に互いに間隔をおいて地面に立設固定したコンクリート製の支持枠５に支持される。
【００３７】
また各々の中継枡Ｐｍは、前記したサイフォン管Ｓ下流端の前記中継枡Ｐｍ０と基本的に同じ構造であって、枡ユニットケース３内部の、隔壁３ｍにより区画された２室の一方が中継枡Ｐｍとなり、他方が後述する戻り水用中継槽Ｋｍとなる。前記中継枡Ｐｍの入口部３ｉには上流側のパイプラインＰｐの下流端が接続され、またその出口部３ｅには下流側のパイプラインＰｐの上流端が接続される。そして、それら入口部３ｉ及び出口部３ｅには開閉弁Ｖｉ，Ｖｅが各々設けられる。
【００３８】
パイプラインＰｐには各中継枡Ｐｍを迂回するバイパス路Ｐｂが接続される。即ち、そのバイパス路Ｐｂは、各中継枡Ｐｍの入口部３ｉよりも上流側のパイプラインＰｐとその出口部３ｅよりも下流側のパイプラインＰｐとの間を接続するように配設され、そのバイパス路Ｐｂの途中には、該バイパス路Ｐｂを随時に遮断し得る開閉弁Ｖｂが設けられる。従って、浚渫土砂の輸送時に中継枡Ｐｍが万一、土砂で埋まる等して使用不能となった場合等には、その中継枡Ｐｍの入口３ｉ及び出口３ｅを開閉弁Ｖｉ，Ｖｅで閉じると共に、対応するバイパス路Ｐｂの開閉弁Ｖｂを開くことにより、上流からの流動体を、使用不能の中継枡Ｐｍをバイパスして下流側に流すことができるため、輸送システムの運転を引き続き支障なく行うことができ、その間に使用不能状態の中継枡Ｐｍの復旧作業を並行して行うことが可能である。
【００３９】
少なくとも一部の中継枡（図示例では上流端の中継枡Ｐｍ０）及び中流の少なくとも一部のパイプラインＰｐには、パイプラインＰｐの内部に直径が１００μｍ以下の非常に小さな無数の微細気泡（空気）を供給するためのマイクロバブル供給手段Ｍが付設される。このマイクロバブル供給手段Ｍは、中継枡Ｐｍ０内またはパイプラインＰｐ内より水を吸い込んで加圧するポンプ６と、そのポンプ６で加圧された水の中に微細気泡を十分に分散、混合させた混相流を発生させる混相流発生装置７と、その混相流発生装置７で発生した混相流を下流側のパイプラインＰｐに合流させて、そのパイプラインＰｐを流れる前記流動体に微細気泡を混合させる配管８とを備える。尚、このような微細気泡を水中に大量に混合させる混相流発生装置は、従来公知であって既に工業的にも量産されている（例えば特開2000-447号公報、特開平7-265057号公報等を参照）。
【００４０】
上記微細気泡は、いわゆる「マイクロバブル」と呼ばれるものであって、単にマクロサイズの気泡が小さくなったというだけではなく、そのサイズ効果により様々な物理化学特性を発揮する。例えば、この微細気泡は水中で恰も静止している如く非常に緩やかに上昇し、また水中で気泡相互が優れた均一性、分散性を発揮し、更に水中への気体吸収効率が高く、酸素溶存量を迅速に上昇させることができる等の特徴がある。そして、このような無数の微細気泡を、パイプラインＰｐ中の浚渫土砂と水を含む流動体中に混合、分散させると、その流動体とパイプラインＰｐ内面との間の摩擦抵抗を効果的に低減できてパイプラインＰｐの耐久性が向上し、その上、流動体の密度を軽減できるようになって、比較的小さな高低差であっても流動体をスムーズに流下させることが可能となる。また上記流動体中の好気性微生物と微細気泡の酸素とを十分に接触させることができて、その微生物を活性化させることができるため、海Ｏの近くまで到達したときの流動体の臭気・濁度が向上し、溶存酸素量も増えることから、海Ｏへ放流される水の水質も良好となり、環境対策上、有利である。
【００４１】
上記マイクロバブル供給手段Ｍは、これを浚渫作業船Ｂ上や、他の中継枡Ｐｍに付設してもよく、これにより、サイフォン管Ｓ内や他の中継枡Ｐｍ近傍のパイプラインＰｐ内を流れる浚渫土砂１及び水を含む流動体にも上記微細気泡を分散、混合させることができるようになる。
【００４２】
サイフォン管Ｓに介装される前記開閉弁Ｖ１は、その開度を任意に微調節可能に構成されるものであり、その開度調節により、一連の輸送システムの起動や停止、運転に当たり、ウォータハンマー現象、流速のオーバースピード、キャビテーション等の不都合を回避しながらシステムの適切な制御が可能となり、システム各部の耐久性向上が図られる。尚、この開閉弁Ｖ１と同様の構造・機能を有する複数の開閉弁Ｖ２〜ＶｎがパイプラインＰｐの適所に相互に間隔をおいて介装されており、そのうち最下流端にある開閉弁Ｖｎだけを図５，図６に示し、他の開閉弁の図示は省略する。
【００４３】
次に図５，図６を併せて参照して、前記水／土砂分離処理手段ＳＥの構造を説明する。この水／土砂分離処理手段ＳＥは、自然流下経路Ｐの最下流のパイプラインＰｐの下流端に連ねて配設されるものであり、図示例では、河口Ｒｅの河川敷１０に配設される。
【００４４】
この水／土砂分離処理手段ＳＥは、前記自然流下経路Ｐを経て流下してきた浚渫土砂１及び水を含む流動体を受容して該流動体中の浚渫土砂１を沈殿させる複数の沈殿槽Ａ１〜Ａ３が、その各々の沈殿槽Ａ１〜Ａ３内の流動体中の上澄み水を順次下流の沈殿槽にオーバフローさせ得るように配列して構成され、その最下流の沈殿槽Ａ３からオーバフローした上澄み水を海Ｏを直接放流するようにしている。
【００４５】
前記複数の沈殿槽Ａ１〜Ａ３は、その各々の上面が開放された比較的浅い水槽状に構成されていて、河口Ｒｅ近くの河川敷１０にその上流側から下流側に順次、直列状態で配設される。沈殿槽Ａ１〜Ａ３の各海側に設けられる堰１１〜１３は、下流側のもの程、低くなるように形成され、各沈殿槽Ａ１〜Ａ３には、下流側のものほど粒径の細かい浚渫土砂が沈殿するようになる。
【００４６】
前記輸送路Ｌの適所、例えばサイフォン管Ｓの途中、パイプラインＰｐにおける少なくとも一部の中継枡Ｐｍの直上流部、パイプラインＰｐにおける水／土砂分離処理手段ＳＥの直上流部には、そこを流れる前記流動体の流動エネルギを電気エネルギに変換可能な動力変換手段としての水力発電装置Ｇが設けられる。その各水力発電装置Ｇは、図示例ではサイフォン管Ｓ内またはパイプラインＰｐ内に回転自在に設けられて、そこを流れる流動体の流動エネルギを回転エネルギに変換する羽根車Ｇａと、サイフォン管ＳまたはパイプラインＰｐの外側に配設された発電機Ｇｂと、その発電機Ｇｂに羽根車Ｇａの回転運動を伝達する伝動機構Ｇｃとを備えており、羽根車Ｇａの回転エネルギが発電機Ｇｂで電気エネルギに変換される。
【００４７】
その水力発電装置Ｇは、これが発電した電気エネルギを最寄りの電動機器に供給すべく該電動機器に接続される。例えば、図２に示されるサイフォン管Ｓに設けられた水力発電装置Ｇは、浚渫作業船Ｂ内の電動機器（サイフォン管Ｓにサイフォン作用を開始させるための呼び水用給水ポンプＲｙ、可動吸込管Ｕを昇降駆動するための図示しない昇降用電動モータ、サイフォン管Ｓのサイフォン作用を助勢するための図示しない電動ポンプ等）や、ダムＤ直下の中継枡Ｐｍ０に付設されるマイクロバブル供給手段Ｍの電動ポンプ６等、ダムＤ直下の中継槽Ｋｍ内に設けられる汲み上げ用電動ポンプＫｘ等に接続されて、これら電動機器を駆動する。また図３に示されるパイプラインＰｐに設けられた水力発電装置Ｇは、その近くの中継槽Ｋｍ内に設けられる汲み上げ用電動ポンプＫｘや、その近くのパイプラインＰｐに付設されるマイクロバブル供給手段Ｍの電動ポンプ６等に接続されて、これら電動機器を駆動する。
【００４８】
また、前記水／土砂分離処理手段ＳＥとダムＤとの間には、その間を接続する還流路Ｋが前記自然流下経路Ｐから独立して設けられる。この還流路Ｋには、水／土砂分離処理手段ＳＥで流動体より分離された水をダムＤまで汲み上げるべく、前記動力変換手段としての水力発電装置Ｇで変換された電気エネルギで駆動される少なくとも１つの汲み上げ用電動ポンプＫｘが設けられる。
【００４９】
前記還流路Ｋは、パイプラインＰｐに略沿うように互いに縦列配置されて水／土砂分離処理手段ＳＥとダムＤとの間を接続する複数の戻り配管Ｋｐと、その相隣なる戻り配管Ｋｐ間に介在していて、下流側の戻り配管Ｋｐから上昇流動してきた戻し水を一時的に貯留可能な複数の戻り用中継槽Ｋｍとを備えており、前記複数の戻り配管Ｋｐには、個々の戻り配管Ｋｐの上流端から下流端まで戻り水を上昇流動させるべく、その各々の戻り配管Ｋｐ毎に前記汲み上げ用電動ポンプＫｘが設けられる。
【００５０】
而して、最上流の（従って最も低位置にある）戻り配管Ｋｐの上流端は、水／土砂分離処理手段ＳＥにおいて最も清浄な水を分離可能な最下流の沈殿槽Ａ３内に開口しており、その開口部には、該最下流の沈殿槽Ａ３内の水を吸い込んで該戻り配管Ｋｐ内を強制的に上昇流動させる汲み上げ用電動ポンプＫｘが設けられる。また、中間の戻り配管Ｋｐの上流端は、対応する戻り用中継槽Ｋｍ内に開口しており、その開口部には、該中継槽Ｋｍ内の水を吸い込んで更に上側の戻り配管Ｋｐ内を強制的に上昇流動させて上側の中継槽Ｋｍ内（又はダムＤ内）に向かわせる汲み上げ用電動ポンプＫｘが設けられる。そして最下流の（従って最も高位置にある）戻り配管Ｋｐの下流端は、ダムＤ内に開口している。
【００５１】
各中継槽Ｋｍは、前述のように輸送路Ｌに介設される各中継枡Ｐｍ０，Ｐｍにそれぞれ隔壁３ｍを挟んで隣接して共通の枡ユニットケース３内に設けられており、これにより、中継設備の小型、簡素化が図られる。
【００５２】
次に本実施例の作用を説明する。ダムＤの水底の浚渫に当たっては、浚渫作業船ＢをダムＤの周辺で組立てダムＤの水面に浮かせる。次いでその浚渫作業船Ｂより可動吸込管Ｕの先部側を下降させ、その先端の吸込口Ｕｅを水底の土砂堆積層に臨ませる。この状態で、サイフォン管Ｓに接続した図示しない吸水ポンプによる呼び水作用により、サイフォン管Ｓのサイフォン作用を開始させる。
【００５３】
そのサイフォン作用が一旦開始されると、吸水ポンプを停止させてもサイフォン作用は引き続き継続され、そのサイフォン作用により、ダムＤの水底の堆積土砂１を水と共に吸い上げてダムＤの直下流の中継枡Ｐｍ０内に徐々に且つ連続的に排出する。このような浚渫作業の進捗に伴い、浚渫作業船Ｂの位置を少しずつ移動させていき、かくして、少ないエネルギとコストでダムＤの水底の堆積土砂１をその水底の略全域に亘って能率よく浚渫可能となる。
【００５４】
サイフォン管Ｓを経て最初の中継枡Ｐｍ０内に流下してきた浚渫土砂１及び水を含む流動体は、中継枡Ｐｍ０内で浚渫土砂１の一部が沈殿、堆積し、その残余の浚渫土砂１と水を含む流動体は、出口部３ｅより本発明の自然流下経路Ｐ（最上流のパイプラインＰｐ）に放流され、その自然流下経路Ｐを重力により徐々に且つ連続的に自然流下する。
【００５５】
そして、浚渫土砂１及び水を含む流動体が前記自然流下経路Ｐを自然流下する間において、上流側のパイプラインＰｐを流下して次の中継枡Ｐｍ内に達した流動体は、その中継枡Ｐｍ０内で浚渫土砂１の一部が沈殿、堆積し、その残余の浚渫土砂１と水を含む流動体は、出口部３ｅより下流側のパイプラインＰｐに放流され、そのパイプラインＰｐ内を重力により自然流下する。この場合において、各々の中継枡Ｐｍ０，Ｐｍの入口側の開閉弁Ｖｉの開度調節により、中継枡Ｐｍ０，Ｐｍ内への流動体の流入量調整が可能であり、また同中継枡Ｐｍ０，Ｐｍの出口側の開閉弁Ｖｅの開度調節により、下流側のパイプラインＰｐへの流動体の流出量調整が可能である。尚、輸送路Ｌの各所に設けられた前記開閉弁Ｖ１〜Ｖｎの開度調節によっても、輸送路Ｌ内を流れる前記流動体の流速調整が可能である。
【００５６】
而して浚渫土砂１及び水を含む流動体は、各中継枡Ｐｍにおいて上記の過程を繰り返して下流側に徐々に移動し、遂には河口Ｒｅ近くの河川敷１０にある水／土砂分離処理手段ＳＥに達する。この水／土砂分離処理手段ＳＥにおいては、河川敷１０に川の流れ方向に沿って直列配置された複数の沈殿槽Ａ１〜Ａ３で、前記流動体が順次受容されて該流動体中の浚渫土砂１を順次沈殿させ、その各々の沈殿槽Ａ１〜Ａ３内の流動体中の上澄み水は順次下流の沈殿槽にオーバフローし、最後は最下流の沈殿槽Ａ３からオーバフローした上澄み水が海Ｏに直接放流される。この場合、各沈殿槽Ａ１〜Ａ３には、下流側のものほど粒径の細かい浚渫土砂が沈殿、堆積するようになるので、その各沈殿槽Ａ１〜Ａ３に貯め置いた浚渫土砂１を外部より難なく採取することができて、それを、その粒径サイズに応じて建設資材、農業用資材その他の用途に有効に利用できる。このように浚渫土砂１の一部又は全部を各沈殿槽Ａ１〜Ａ３に集めて回収することにより、海Ｏには浚渫土砂１の殆どない又は全然ない比較的奇麗な水だけを放流できるため、水域の汚染防止に効果的である。
【００５７】
ところで浚渫土砂１の途中回収は、必要に応じて、水／土砂分離処理手段ＳＥよりも上流側の少なくとも一部の中継枡Ｐｍ０，Ｐｍ…においても行うことが可能である。
【００５８】
即ち、その各中継枡Ｐｍ０，Ｐｍ内に沈殿、堆積した浚渫土砂１は、その一部を上面開放の各中継枡Ｐｍ０，Ｐｍより容易に採取、回収できて、それを建設用資材、農業用資材その他の用途に再利用できるため、その各中継枡Ｐｍ０，Ｐｍより下流側のパイプラインＰｐには浚渫土砂１の含有量を減らした比較的奇麗な、浚渫土砂及び水を含む流動体を放流可能となり、従って、最下流での前記水／土砂分離処理手段ＳＥによる浚渫土砂１の分離回収効果とも相俟って、海Ｏに放流する水の浄化を十分に行うことができ、放流水域の汚染防止に一層効果的となる。このように少なくとも１つの中継枡Ｐｍ０，Ｐｍ内に沈殿、堆積した浚渫土砂１の少なくとも一部を回収して、下流側のパイプラインＰｐに流れないようにすれば、中継枡Ｐｍ０，Ｐｍの近隣の地域で浚渫土砂１を建設資材、農業用資材等として再利用する場合に好都合であり、またその再利用分だけ浚渫土砂１の海側への流動分を減少させることができる。
【００５９】
また本実施例では、輸送路Ｌに、そこを流れる流動体の流動エネルギを電気エネルギに変換する動力変換手段としての水力発電装置Ｇが設けられており、重力を利用してダムＤの浚渫土砂を海Ｏ又はその近くの河川Ｒまで自然流下させる過程で、その流動エネルギを電気エネルギに変換して、これを、輸送システム中で使用される前述のような各種の電動機器の動力として効率よく利用することができ、しかもその水力発電装置Ｇと輸送システム中の上記電動機器とを比較的近くに配置可能であることから、その間の電気配線を簡素化してコスト節減を図ることができる。
【００６０】
また特に水／土砂分離処理手段ＳＥとダムＤとの間には、その間を接続する還流路Ｋが自然流下経路Ｐから独立して設けられ、この還流路Ｋには、水／土砂分離処理手段ＳＥで流動体より分離された水をダムＤまで戻し水として汲み上げる汲み上げ用電動ポンプＫｘが設けられるので、水／土砂分離処理手段ＳＥで流動体より分離された水の一部を、ただ海や河川に捨てるのではなく、ダムＤまでエネルギ節減を図りつつ強制的に戻すことができる。
【００６１】
しかもこの還流路Ｋは、互いに縦列配置されて水／土砂分離処理手段ＳＥとダムＤとの間を接続する複数の戻り配管Ｋｐと、その相隣なる戻り配管Ｋｐ間に介在していて、下流側の戻り配管Ｋｐから上昇流動してきた戻し水を一時的に貯留可能な複数の戻り用中継槽Ｋｍとを備えていて、個々の戻り配管Ｋｐ毎に前記汲み上げ用電動ポンプＫｘが設けられる。そのため、水／土砂分離処理手段ＳＥと、これから水を戻すべきダムＤとの間の高低差や距離が大きくても、単一の汲み上げ用電動ポンプＫｘで水／土砂分離処理手段ＳＥからダムＤまで水を一気に汲み上げる必要はなく、即ち、個々の汲み上げ用電動ポンプＫｘで、水／土砂分離処理手段ＳＥから直ぐ上側の中継槽Ｋｍまで、或いは中継槽Ｋｍから直ぐ上側の中継槽Ｋｍまで、或いはダムＤ直下の中継槽ＫｍからダムＤまでの比較的短く且つ高低差が小さい区間で水を汲み上げるだけで足りる。これにより、比較的小容量の汲み上げ用電動ポンプＫｘを使用しても、ダムＤまで無理なく戻し水を圧送可能であり、電動ポンプＫｘのコスト節減と耐久性向上が図られる。
【００６２】
以上、本実施例によれば、海Ｏから離れた高所に在るダムＤの浚渫土砂１を、サイフォン管Ｓのサイフォン作用で水と共に吸い出し、次いで自然流下通路Ｐを経由して海Ｏまで自然流下させるので、重力を利用してダムＤの浚渫土砂を海Ｏまで無理なく且つ緩やかに輸送することができ、その輸送のためのエネルギ節減とコスト低減を図ることができ、また途中の河川水域を浚渫土砂で汚濁したり生態系に影響を与える心配がなく、更にダンプ車両による輸送の場合のように交通渋滞、空気汚染、振動騒音等の不具合を招く虞れもない。また上記自然流下経路Ｐは、相互に縦列配置した複数条のパイプラインＰｐの相隣なるもの同士を中継枡Ｐｍで接続して構成されるので、中継枡の無い場合と比べてパイプラインＰｐの内圧を十分に軽減できてその耐久性が高められ、またパイプラインＰｐに対するメンテナンスも、中継枡Ｐｍで区切られたパイプラインＰｐ単位で行えるため、そのメンテナンス作業が比較的容易となる。
【００６３】
また上記自然流下経路Ｐの下流端に連なる水／土砂分離処理手段ＳＥは、これを構成する複数の沈殿槽Ａ１〜Ａ３が各々上面を開放した状態で、河口Ｒｅ近くの河川敷１０にその上流側から下流側に順次、直列状態で配設されるため、その河川敷１０の広いスペースを利用して、比較的大きな沈殿槽Ａ１〜Ａ３を何段にも配置でき、それだけ水の清浄化機能を高めることができる。また洪水等で河口Ｒｅの河川敷１０が水没した場合には、その川の濁流で各沈殿槽Ａ１〜Ａ３内の堆積土砂は海Ｏに押し流されるが、濁流と一緒に流されることから水域汚濁の心配はない。
【００６４】
また水／土砂分離処理手段ＳＥで流動体より分離された水の一部は、ただ海や河川に捨てられるのではなく、汲み上げ用電動ポンプＫｘにより汲み上げて還流路Ｋを経てダムＤまで戻され、その際に汲み上げ用電動ポンプＫｘの動力として、水力発電装置Ｇで上記流動体の流動エネルギを電気エネルギに変換したものが無駄なく利用される。そのため、ダムＤから海に向かう浚渫土砂の流動排出に大量に利用された水の一部を、エネルギ節減を図りつつ再びダムＤに戻すことができ、この戻し水を灌漑や利水等に有効利用できて水資源の節約が図られる。
【００６５】
また図７には、本発明の第２実施例の要部が示される。この実施例では、少なくとも一部の中継枡Ｐｍ内に、その近隣にある他の大容量貯水池としてのダムＤ′よりサイフォン管Ｓ′で吸い出した水及び浚渫土砂を含む流動体を供給している。そのために、上記ダムＤ′の直下流近くにある枡ユニットケース３における中継枡Ｐｍには、上記ダムＤ′の浚渫土砂１′をサイフォン管Ｓ′を経て流入させる第２の入口部３ｉ′が増設され、またその第２の入口部３ｉ′にも開閉弁Ｖｉ′が設けられる。この第２実施例のその他の構造は、第１実施例と基本的に同じであり、各構成要素には、第１実施例中の対応するものの参照符号を付すに留め、説明は省略する。
【００６６】
而して、この第２実施例では、先の第１実施例と同等の作用効果を達成できる上、他のダムＤ′からの浚渫土砂１及び水を含む流動体を中継枡Ｐｍに受け入れることができる。そして、その両方のダムＤ、Ｄ′からの浚渫土砂１，１′を中継枡Ｐｍにおいて容易に合流させ、その下流側のパイプラインＰｐを利用して共に海Ｏ側に自然流下させることができる。尚、この第２実施例では、図示を簡略化するために、サイフォン管Ｓ′の構造を簡略的に示したが、この第２実施例の他のダムＤ′においても、ダムＤでの浚渫に用いた浚渫作業船Ｂを用いて、ダムＤにおける浚渫と同様の大掛かりな浚渫作業を行うようにしてもよい。また第２実施例において、上記他のダムＤ′の浚渫作業に当たっては、サイフォン管Ｓ′を用いないで、吸上ポンプＲｘで強制的に吸い上げた水及び浚渫土砂１′を中継枡Ｐｍ内に供給するようにしてもよく、この場合、その吸上ポンプＲｘの動力として、前記した水力発電装置Ｇで変換された電気エネルギを利用するようにしてもよい。
【００６７】
このように少なくとも一部の中継枡Ｐｍ内に、その近隣にある他の大容量貯水池Ｄ′より吸い出した水及び浚渫土砂を含む流動体を供給するようにすれば、複数の大容量貯水池Ｄ，Ｄ′からの浚渫土砂を中継枡Ｐｍにおいて容易に合流させ、その下流側のパイプラインＰｐを利用して海側に自然流下させることができる。
【００６８】
以上、本発明の実施例を詳述したが、本発明は前記実施例に限定されるものでなく、種々の設計変更を行うことができる。
【００６９】
例えば、前記実施例では、水／土砂分離処理手段ＳＥが最下流の沈殿槽Ａ３からオーバフローした上澄み水を海Ｏに直接放流するようにしたものを示したが、本発明では、その上澄み水を海Ｏの近くの河川Ｒ、例えば河口Ｒｅに放流するようにしてもよい。
【００７０】
また、前記実施例では、水／土砂分離処理手段ＳＥを河口Ｒｅ近くの河川敷１０に設けたものを示したが、本発明では必ずしも河川敷に設ける必要はなく、少なくとも海Ｏ又はその近くの河川Ｒに直接放流できる場所であればよい。
【００７１】
また、前記実施例では、マイクロバブル供給手段Ｍがサイフォン管Ｓ内またはパイプラインＰｐ内にマイクロバブルを混入しているが、本発明では、中継枡Ｐｍ０，Ｐｍ内にマイクロバブルを混入してもよい。
【００７２】
また、前記実施例では、サイフォン管Ｓ内にダム水底の堆積土砂を浚渫土砂として直接吸い込むようにしたものを示したが、本発明では、ダム水底の堆積土砂が比較的固くサイフォン管Ｓの吸込作用だけでは堆積土砂の吸い出しができない場合には、図示しない電動ポンプで加圧された水の噴射で堆積土砂を掘削しつつ、その掘削した土砂を浚渫土砂としてサイフォン管Ｓに吸い込むようにしてもよい。尚、この場合の電動ポンプの動力として、水力発電装置Ｇで変換された電気エネルギを利用可能である。
【００７３】
また、前記実施例では、前記開閉弁Ｖ１〜Ｖｎ，Ｖｂ，Ｖｉ，Ｖｅを手動で開閉操作するようにしたものを示したが、本発明では、これら開閉弁を遠隔操作で開閉操作するようにしてもよい。
【００７４】
また、前記実施例では、輸送路Ｌにおける中継枡Ｐｍ０，Ｐｍと、還流路Ｋにおける中継槽Ｋｍとを共通の枡ユニットケース３内に隔壁３ｍを挟んで隣接配置したものを示したが、これら中継枡Ｐｍ０，Ｐｍと、中継槽Ｋｍとを別個独立のケースに別々に設けてもよく、また相互に離れた場所に設置するようにしてもよい。
【００７５】
また、前記実施例では、還流路Ｋの下流端がダムＤに開口していて、戻し水をダムＤ内に戻すようにしたものを示したが、本発明では、還流路Ｋの下流端を、ダムＤと海Ｏとの中間に位置する他の戻し水用貯水池（例えば人口池、天然池、湖等）に開口して、そこに汲み上げ用電動ポンプＫｘで戻し水を汲み上げるようにしてもよい。この場合、その戻し水用貯水池内の水を灌漑等に利用可能である。
【００７６】
また、前記実施例では、動力変換手段としての水力発電装置Ｇが変換した電気エネルギを、本発明の浚渫土砂輸送システム内に設けた種々の電動機器の動力として利用できるようにしたものを示したが、本発明（請求項１）では、上記電気エネルギを外部に取出可能として、浚渫土砂輸送システム外にある種々の電気機器の電源として利用できるようにしてもよい。
【００７７】
また、前記実施例では、作業員が水／土砂分離処理手段ＳＥや中継槽Ｋｍ内の貯溜水面の状態を直接監視して、その状態に応じて汲み上げ用電動ポンプＫｘの運転制御を行うようにしているが、本発明では、水／土砂分離処理手段ＳＥ内や中継槽Ｋｍ内に水位センサを設置して、その水位センサの検出信号（即ち水位変化）に応じて汲み上げ用電動ポンプＫｘの運転制御を遠隔制御し、或いは自動制御するようにしてもよい。さらに上記水位センサの他、浚渫土砂輸送システム内における輸送路Ｌ及び還流路Ｋの各所に流動状態（流速、流量等）を監視する種々のセンサ類を設けると共に、同システム内の少なくとも一部のバルブ、少なくとも一部の電動機器の作動状態をモニターするモニター手段を設け、それらセンサ類及びモニター手段からの検出信号に基づいて、少なくとも一部のバルブ及び少なくとも一部の電動機器の作動を、コンピュータ等を利用して集中的且つ自動的に制御できるようにしてもよい。
【図面の簡単な説明】
【００７８】
【図１】本発明の第１実施例を示す浚渫土砂輸送システムの概要を示す全体概略縦断面図
【図２】図１の２矢視部拡大図
【図３】図１の３矢視部拡大図
【図４】図３の４−４線拡大断面図
【図５】水／土砂分離処理手段の要部縦断面図（図１の５矢視部拡大図）
【図６】図５の６矢視平面図
【図７】本発明の第２実施例を示す要部拡大縦断面図
【符号の説明】
【００７９】
Ａ１〜Ａ３・・沈殿槽
Ｄ・・・・ダム（大容量貯水池）
Ｋ・・・・還流路
Ｋｍ・・・中継槽
Ｋｐ・・・戻り配管
Ｋｘ・・・汲み上げ用電動ポンプ（電動機器）
Ｍ・・・・マイクロバブル供給手段（電動機器）
Ｏ・・・・海
Ｐ・・・・自然流下経路
Ｐｂ・・・バイパス路
Ｐｐ・・・パイプライン
Ｐｍ・・・中継枡
Ｒ・・・・河川
Ｒｅ・・・河口
Ｒｘ・・・吸上ポンプ（電動機器）
Ｒｙ・・・呼び水用給水ポンプ（電動機器）
Ｓ・・・・サイフォン管
ＳＥ・・・水／土砂分離処理手段
Ｖｂ，Ｖｉ，Ｖｅ，Ｖ１〜Ｖｎ・・開閉弁
１・・・・浚渫土砂
３ｉ・・・入口部
３ｅ・・・出口部
【図１】
2007002437.tif 000003
【図２】
2007002437.tif 000004
【図３】
2007002437.tif 000005
【図４】
2007002437.tif 000006
【図５】
2007002437.tif 000007
【図６】
2007002437.tif 000008
【図７】
2007002437.tif 000009